(57)【要約】【課題】ソケットの過負荷を警告する装置を提供すること。【解決手段】本考案は、主として延長コードのソケット又は住居壁面のソケットに警告装置を設け、ソケットに過負荷状態が発生した場合、前記警告装置が同時又は別々に警告の音響又は点滅する光源を生じさせ、ユーザーに前記延長コードのソケット又は壁面ソケットが過負荷状態であり、その他の電器用品のコードを抜き取る必要があることを知らせ、電気の安全使用目的を達成するソケットの過負荷警告装置である。【選択図】図１
0003120061.tif 000002
【実用新案登録請求の範囲】
【請求項１】
ソケット本体と、警告装置と、を含み、
前記ソケット本体は、第１導線と、第２導線及びアース線を備え、
前記第１導線と、第２導線及びアース線は、それぞれソケット本体１の差込穴１６に対応して、電源を電気製品に供給し、
前記警告装置は、ソケット本体の内部又は外部に設置可能であり、ソケット本体の第１導線・第２導線とインターフェースすることによって、出力電圧値を取得し、前記出力電圧値が当該警告装置の電圧設定値より大きい場合に、同時又は別々に警告音響或いは点滅する光源を発生させることを特徴とする、ソケットの過負荷警告装置。
【請求項２】
ソケット本体と、前記ソケット本体の内部又は外部に設置してよい警告装置と、を含み、前記ソケット本体は、第１導線と、第２導線及びアース線を備え、前記第１導線と、第２導線及びアース線は、それぞれソケット本体１の差込穴１６に対応して、電源を電気製品に供給し、前記警告装置は、ソケット本体の第１導線又は第２導線に並列接続されることによって、出力電圧値信号を取得するサンプリング回路と、サンプリング回路とインターフェースすることによって、サンプリング回路が伝送する電圧値信号を受け取り、且つ前記電圧値信号を増幅するアンプ回路と、アンプ回路とインターフェースすることによって、アンプ回路によって増幅された電圧値信号を受け取り、且つ受け取った電圧値及び電圧設定値とを比較し、更にその結果をパルス発生回路へ伝送する比較回路と、比較回路とインターフェースすることによって、比較回路から来た比較完了信号を受け取るパルス発生回路と、を含み、サンプリング電圧値が電圧設定値より大きい場合に前記パルス発生回路より直ちにパルス信号を駆動回路及びＬＥＤへ送り、ＬＥＤを駆使して点滅する光源及び駆動回路を駆使してブザーを鳴らし、警告音響を発生させることを特徴とする、請求項１に記載のソケットの過負荷警告装置。
【請求項３】
前記警告装置は、更にソケット本体から来た交流電源を受け取り、且つ前記交流電源を整流、電波分離及び定電圧化した後、交流電源を直流電源へ変換する電源供給回路を含み、前記直流電源によって警告装置の各項回路装置に必要な電源を提供できるようにしたことを特徴とする、請求項１又は２に記載のソケットの過負荷警告装置。
【考案の詳細な説明】
【技術分野】
【０００１】
本考案は、ソケットの過負荷警告装置、特に延長コードのソケット又は壁面に固定されたソケットが過負荷状態になった場合、直ちに同時又は別々に警告の音響を発し或いは光源を点滅させて、安全に電気を使用する目的を達成できるソケットの過負荷警告装置に関するものである。
【背景技術】
【０００２】
延長コードのソケット又は壁面に固定されたソケットは、何れも交流電源を引導するインターフェースとすることができる。
【０００３】
ユーザーは、一般電気製品の差込をソケットの差込穴へ差し込むだけで、交流電源を電器製品に導引することによって、電器製品に然るべき作用をもたらし、人々に日常生活上電器利用の便利さを提供することができる。
【０００４】
しかし、ソケットは実用的ではあるが、過負荷の制限があり、電器製品の給電負荷がソケットの最大定格負荷より大きい場合、電気使用上の危険を招き易い。
【０００５】
従って、電気使用の安全を確保するため、市中では一般にソケットの中にヒューズ又は過負荷防止器（SUPPLEMENTARY PROTECTOR）を設置し、ソケットの出力負荷が定格値を超えた場合、前記ヒューズが溶け、過負荷防止器が開回路となり、ソケットが給電できないようにして、電器使用上の安全を達成している。
【０００６】
ヒューズや過負荷防止器を使用すると、電気使用上の安全を確保できるが、そのサンプリング原理は全てヒューズ或いは過負荷防止器の導体温度係数の原理や方法を運用してヒューズを跳ばしたり防止器を開回路にしたりして保護機能を達成している。この方法では、過負荷現象でその温度が変化するのを待って、始めて跳ばしたり開回路にしたりする保護機能を達成でき、しかも待ち時間は異なる導電係数によって変化し、直ちに警告や飛ばして保護する機能を発揮できず、電気安全上の最大問題となっている。
【０００７】
従って、若しソケットの中に警告装置を付設できれば、ソケットに過負荷が生じた場合、前記警告装置が即時に警告音響又は警告ランプの表示を行うことができ、当面設計の急務となっている。
【０００８】
以上で分かるように、上述従来の物品には尚幾多の欠点があり、実に良い設計とは言いがたく、改良が待たれていた。
【０００９】
本考案者は、上述従来ソケットに派生する各項の欠点に鑑み、極力新規改良を試み、且つ長年の苦心研鑽の末、ついに本考案に係るソケットの過負荷警告装置の研究開発に成功した。
【考案の開示】
【考案が解決しようとする課題】
【００１０】
本考案の目的は、ソケットの出力負荷が最大定格負荷より大きい場合、そのソケットの中の警告装置が直ちに同時又は別々に警告音響又は点滅する光源を発生させ、ユーザーが即座にソケットが過負荷状態であることを知り、ほかの電器用品のコードを抜き取り、電気安全使用の目的を達成できる過負荷警告装置を提供することにある。
【００１１】
本考案の次の目的は、延長コードのソケット又は住まい壁面のソケット或いはその他の形式のソケットに応用される過負荷警告装置を提供することにある。
【課題を解決するための手段】
【００１２】
上述実用新案の目的を達成できる過負荷警告装置は、延長コードのソケット又は住居壁面に固定されたソケットであるソケット本体及び警告装置とを含み、前記警告装置には、電源供給回路と、サンプリング回路と、アンプ回路と、比較回路と、パルス発生回路と、駆動回路及び警告エレメントを含み、前記電源供給回路は、ソケット本体の交流電源を受け取ると共に、前記交流電源を整流、電波分離及び定電圧化した後、交流電源を警告装置に必要な直流電源へ変換する、警告装置のサンプリング電気回路をソケット本体の第２導線又は第１導線上に並列接続することによって、ソケット本体から出力される電圧信号値を取得し、前記電圧信号値は、アンプ回路によって増幅された後、比較回路へ送られて比較され、若し前記出力電圧値が電圧設定値より大きい場合は、前記パルス発生回路からパルス信号を駆動回路へ送り、駆動回路が警告エレメントを駆使して同時又は別々に警告音響或いは点滅する光源を発生させ、電気の安全使用の目的を達成する。
【００１３】
すなわち、本願の第１考案は、ソケット本体と、警告装置と、を含み、前記ソケット本体は、第１導線と、第２導線及びアース線を備え、前記第１導線と、第２導線及びアース線は、それぞれソケット本体１の差込穴１６に対応して、電源を電気製品に供給し、前記警告装置は、ソケット本体の内部又は外部に設置可能であり、ソケット本体の第１導線・第２導線とインターフェースすることによって、出力電圧値を取得し、前記出力電圧値が当該警告装置の電圧設定値より大きい場合に、同時又は別々に警告音響或いは点滅する光源を発生させることを特徴とする、ソケットの過負荷警告装置を提供する。
【００１４】
また、本願の第２考案は、ソケット本体と、前記ソケット本体の内部又は外部に設置してよい警告装置と、を含み、前記ソケット本体は、第１導線と、第２導線及びアース線を備え、前記第１導線と、第２導線及びアース線は、それぞれソケット本体１の差込穴１６に対応して、電源を電気製品に供給し、前記警告装置は、ソケット本体の第１導線又は第２導線に並列接続されることによって、出力電圧値信号を取得するサンプリング回路と、サンプリング回路とインターフェースすることによって、サンプリング回路が伝送する電圧値信号を受け取り、且つ前記電圧値信号を増幅するアンプ回路と、アンプ回路とインターフェースすることによって、アンプ回路によって増幅された電圧値信号を受け取り、且つ受け取った電圧値及び電圧設定値とを比較し、更にその結果をパルス発生回路へ伝送する比較回路と、比較回路とインターフェースすることによって、比較回路から来た比較完了信号を受け取るパルス発生回路と、を含み、サンプリング電圧値が電圧設定値より大きい場合に前記パルス発生回路より直ちにパルス信号を駆動回路及びＬＥＤへ送り、ＬＥＤを駆使して点滅する光源及び駆動回路を駆使してブザーを鳴らし、警告音響を発生させることを特徴とする、本考案の第１考案に記載のソケットの過負荷警告装置を提供する。
【００１５】
また、本願の第３考案は、前記警告装置は、更にソケット本体から来た交流電源を受け取り、且つ前記交流電源を整流、電波分離及び定電圧化した後、交流電源を直流電源へ変換する電源供給回路を含み、前記直流電源によって警告装置の各項回路装置に必要な電源を提供できるようにしたことを特徴とする、本考案の第１又は第２考案に記載のソケットの過負荷警告装置を提供する。
【考案の効果】
【００１６】
本考案に係るソケット過負荷の警告装置は、その他従来の技術に比べ、更に下記のような長所がある。
【００１７】
（１）本考案によれば、ソケットの出力負荷が最大定格負荷より大きい場合に、前記ソケット内部又は外部の警告装置が警告音響或いは警告光源を発し、電気の安全使用の目的を達成できる
【００１８】
（２）本考案は、延長コードのソケット又は住居壁面のソケットまたはその他の形式のソケットに応用できる。
【考案を実施するための最良の形態】
【００１９】
以下に図面を参照しながら本考案の実施の形態について説明する。
【実施例】
【００２０】
図１から図３は、本考案が提供するソケット過負荷警告装置であり、主として、延長コードのソケット１１（図２）又は住居壁面に固定したソケット１２（図３）とできるソケット本体１と、ソケット本体１の内部又は外部に取り付け可能な警告装置２と、からなる。
【００２１】
前記ソケット本体１には、第１導線（火線）１３と、第２導線（中心線）１４及びアース線（接地線）１５を備え、それぞれソケット本体１の差込穴１６に対応して、電源を電気製品に供給する。
【００２２】
前記警告装置２には、主として、インピーダンス２１１とできるサンプリング回路２１と、アンプ回路２２と、比較回路２３と、パルス発生回路２４と、電源供給回路２７と、を含む。
【００２３】
前記インピーダンス２１１は、ソケット本体１の第２導線１４或いは第１導線１３に並列接続すると、両端の電圧値信号を取得できる。
【００２４】
前記アンプ回路２２は、サンプリング回路２１とインターフェースすることによって、サンプリング回路２１から伝送される電圧値信号を受け取り、且つ前記電圧値信号を増幅する。
【００２５】
前記比較回路２３は、アンプ回路２２とインターフェースすることによって、アンプ回路２２が増幅した後の電圧値信号を受け取り、且つ受け取った電圧値信号を電圧設定値と比較し、比較の結果をパルス発生回路２４へ送る。
【００２６】
前記パルス発生回路２４は、比較回路２３とインターフェースすることによって、比較回路２３において比較完了した信号を受け取り、比較の結果、サンプリング電圧値信号が電圧値設定値より大きい場合は、パルス信号を発して駆動回路２５及び発光ダイオード（ＬＥＤ）２６へ送ることによって、ＬＥＤ２６を駆動して点滅する光源を生じさせ、且つ同時に駆動回路２５を駆動してブザー２８に警告音響を発生させる、尚、前記ＬＥＤ２６は、ブザー２８と同時に作動又は別々に作動することができる。
【００２７】
前記電源供給回路２７は、ソケット本体１から来た交流電源を受け取ると共に、前記交流電源を整流、電波分離及び定電圧化した後、前記警告装置に必要な直流電源へ変換する。
【００２８】
従って、警告装置がソケット本体に過負荷状態が発生したことを検知すると、直ちに警告音響又は光源を発生させ、ユーザーにソケットが負荷に耐えず、直ちにソケット本体１に差し込まれた電源コードを抜き取るべきであることを知らせ、電気使用上の安全を保つことができる。
【００２９】
以上の詳細な説明は本考案の実行可能な実施例の具体的説明である。
但し、前記実施例は本考案の特許範囲を制限するものではなく、本考案の技術内容及び技術思想を逸脱せずになされる等価な実施又は変更は、全て本考案の請求範囲に含まれるものとする。
【図面の簡単な説明】
【００３０】
【図１】本考案に係るソケット過負荷警告装置のブロック構築図である。
【図２】本考案に係るソケット過負荷警告装置の第一実施の回路構築図である。
【図３】本考案に係るソケット過負荷警告装置の第二実施の回路構築図である。
【符号の説明】
【００３１】
１          ソケット本体
１１        延長コードのソケット
１２        ソケット
１３        第１導線
１４        第２導線
１５        アース線
１６        差し込み穴
２          警告装置
２１        サンプリング回路
２１１      インピーダンス
２２        アンプ回路
２３        比較回路
２４        パルス発生回路
２５        駆動回路
２６        ＬＥＤ
２７        電源サプライヤー
２８        ブザー
【図１】
0003120061.tif 000003
【図２】
0003120061.tif 000004
【図３】
0003120061.tif 000005